(57)【特許請求の範囲】
【請求項１】
少なくともデータブロックを送信する送信器局と、少なくとも前記ブロックを受信する移動局とからなる伝送方式であって、
幾つかの、前記移動局の１つを宛先とした反復ブロックが複数回送信され、
前記反復ブロックはフレームとして組織化され、
前記移動局は少なくとも１つのエネルギー源によって電源供給される回路を含む伝送方式において、
前記回路のうちの少なくとも１つは、少なくとも１つのブロックの受信に使用される位相ロックドループへの供給電圧を切断する手段を有し、
前記移動局はさらに、前記反復ブロックのうちの少なくとも１つが検出された後に前記切断する手段に処理を促すための、前記ブロックを検出する検出手段を備え、
前記検出手段は、フレームの中で過半数を占める同一の反復ブロックが検出され、当該検出された反復ブロックが自局宛ではないときに、前記電源切断手段に対して処理を促すことを特徴とする伝送方式。
【請求項２】
前記回路のうちの１つは、位相ロック用コマンドを受信する入力部を有する発振器であり、
記憶要素が設けられ、前記記憶要素は、前記電源切断手段が作動される場合に前記記憶要素への電圧を記憶するためのものである、
ことを特徴とする、請求項１記載の方式。
【請求項３】
様々な構成部分を含み、特定の構成部分への電源供給を切断するコマンドを有する集積回路を備えることを特徴とする、請求項１又は２記載の方式に適した移動局。
【発明の詳細な説明】
【０００１】
【発明の属する技術分野】
本発明はデータブロックを送信するための少なくとも送信器と、少なくとも１つのエネルギー源によって電源供給される回路を含み上記ブロックを受信する少なくとも移動局とからなる伝送方式に関する。本発明はまた上記の方式に適した移動局に関する。
【０００２】
本発明は、特にＧＳＭ，ＥＴＡＣＳ，ＡＭＰＳ及び他の種類のセルラー式移動無線方式の分野に興味深い適用を見出す。
【０００３】
【従来の技術】
上記の方式のユーザは、電力消費につながる個人用移動局の自律性の問題に直面する。更に、これらの局はあまりかさばらず、可能な限り軽量であるべきである。従って、適当な自律性のために蓄電池が可能な限り軽量であり得るよう、これらの個人用の局の電力消費を制限することに関心が持たれている。
【０００４】
【発明が解決しようとする課題】
多くのエネルギーを消費する回路の１つは、入力位相ロックドループローカル発振器である。欧州特許第０  ０５１  ７７４号明細書より、エネルギーを節約するために、位相ロックドループ発振器を停止し、コンデンサの極板のためにその制御電圧を保持することが知られている。このようにして、多くの場合にこの発振器を停止することが可能である。
【０００５】
【課題を解決するための手段】
本発明は、エネルギーの節約について改善された冒頭の段落において定義される種類の方式を提供する。
従って、そのような方式は、上記の回路のうちの少なくとも１つが、少なくとも１つのブロックに対して使用される供給電圧を切断する手段を有することを特徴とする。
【０００６】
本発明は、特にある程度の冗長性を有するブロックの中でデータの搬送が行われる方式において有益であることを概念とする。従って、幾つかのブロックのみが移動局に関することになる。すると移動局に関連しないブロックの間に移動局の幾つかの回路を停止し、このようにして電気エネルギーを節約することが可能となる。
【０００７】
本発明の興味深い特性によれば、様々な構成要素を含み、いくつかの要素の電源を切断するための制御を有する集積回路が移動局の中に設けられる。
従って、この特性によれば、移動局が待機モードにあるときに集積回路内に機能を有さない要素のみの電源が切断される。
【０００８】
【発明の実施の形態】
本発明の上述及び他の面は、以下説明される実施例を参照して明らかとなろう。図１中、参照番号１は本発明による移動局を示す。この移動局１は、移動局１がＧＳＭ，ＥＴＡＣＳ，ＡＭＰＳ等のタイプのセルラー式電話方式の無線網の基地局８に対して無線波を送受信することを可能にするアンテナ５を有する。移動局１は、イアホン１０，マイクロホン１２，キーボード１５及びディスプレイ１７からなる。破線は移動局１の内部に配置される電子部分２０を表わす。
【０００９】
図２には、蓄電池２１によって電源供給される電子部分２０が詳細に図示される。電子部分２０は、セルラー式電話方式に共通の様々なデータを送信し、受信するための送信器組立体４０及び受信器組立体４２からなる。これらの送信器部分及び受信器部分はプロセッシング要素４５を通じてマイクロホン１２及びイアホン１０へ接続される。受信器部分は位相ロックドループに挿入されるローカル発振器５０を必要とさせる。
【００１０】
このループは、発振器５２、固定分周器５５、及び位相比較器５８によって形成される。位相比較器５８は、分周器５５によって生成された信号の位相と、可変分周器５９から発せられる信号の位相とを比較する。可変分周器５９の分周器レートは最終的にこのローカル発振器５０の周波数を固定する。比較器５８は、図中、特にコンデンサ６４からなるＲＣセルによって表わされるフィルタ回路６２へ電流を供給するポンプ回路６０を制御する。ポンプ回路は３状態回路であり、即ちその出力インピーダンスは無限値を有しうる。これは図２中、スイッチ６５によって示されている。このようにして、コンデンサ６４の極板上の電圧はスイッチ６５が開いている時、ある期間に亘って維持される。上述の様々な構成要素部分、即ち要素５５，５８，５９，６０及び６５は、集積回路７０内に配置されうる。参照番号７２はこれらの上述の要素の電源供給ラインを示す。
【００１１】
様々なマイクロプロセッサ８０及び８１は、受信器組立体４２によって生成されるデータにより様々な処理を実行する。マイクロプロセッサ８０は基地局８によって送信されたデータブロックと共に実行された「投票」の結果をライン８５上に生成する。他のマイクロプロセッサ８１は、移動局１の動作の管理を課されている。
【００１２】
本発明は更に待機モードで使用されうる。このモードでは、移動局は呼に対して待機しており、従って図３の（Ａ）に図示されるような信号フレームを獲得する。この信号フレームは、ＴＡＣＳ，Ｅ−ＴＡＣＳ規格の信号に関する。
この規格によれば、信号はビットレベルにおける同期のためのシーケンス又はブロックＢＳと、フレームレベルでの同期シーケンスであるシーケンスＷＳで開始する。これらの同期プレアンブルの後に、被呼者の番号に対応するワードの５回の反復が続く。この番号は、インタリーブされてフレーム中で５回送信される。即ち、いくつかの移動局はワードＷＡ１乃至ＷＡ５を聞くのに対して、他の移動局はワードＷＢ１乃至ＷＢ５を聞く。被呼者の番号を決定するために、この５つのワードの反復と共に「投票」が実行される。ワードがフレームの中で同じように３回反復されれば、これが考慮されるべきワードであることが宣言される。従って、最初の３つのブロックが同一であれば、本発明は様々な要素の電源を直ちに切断することを提案する。しかし、第１、第２及び第４のブロックが同一であれば、この第４のブロックの後に電源が切断される。
【００１３】
本発明の１つの特性によれば、ワードが決定された瞬間に位相ロックドループの電源が切断される。電源が切断されたときにコンデンサ６４の極板の電圧が維持されるよう、スイッチ６５は開いた位置にされる。従って、供給電圧の次の出現の間の位相ロックは容易になされる。
図２では、スイッチ９０及び９１による要素の切断が示される。スイッチ９０は発振器５２の電源を切断することが可能であり、スイッチ９１は集積回路７０の電源を切断することが可能である。
【００１４】
図３の（Ｂ）は、様々なスイッチに対して影響を与える信号を示す。図３には、データを損失することなく、処理が必要になった時点から処理が実行されるよう、要素に対して電源を再形成するための待機時間Δτが示されている。
図２には、他の集積回路７０’の他の形状を示す破線が示されている。即ち回路の中に回路組立体９５へ電源供給され続けねばならないため、その中に一体化される幾つかの要素に対して電源切断手段が設けられている形状である。
【００１５】
手順は投票を含んで説明されたが、本発明はブロックを獲得する局に対してブロックが重要性を有さない全ての場合に適用される。この場合も、電源は結合されうる。
【図面の簡単な説明】
【図１】本発明による方式を示す図である。
【図２】本発明による移動局を示す図である。
【図３】本発明による電話装置のローカル発振器の動作周期を説明するタイミング図を示す図である。
【符号の説明】
１  移動局
５  アンテナ
８  基地局
１０  イアホン
１２  マイクロホン
１５  キーボード
１７  ディスプレイ
２０  電子部分
２１  蓄電池
４０  送信器組立体
４２  受信器組立体
４５  プロセッシング要素
５０  ローカル発振器
５５  固定分周器
５８  比較器
５９  可変分周器
６０  ポンプ回路
６２  フィルタ回路
６４  コンデンサ
６５  スイッチ
７０，７０’  集積回路
７２  電源ライン
８０，８１  マイクロプロセッサ
８５  ライン
９０，９１  スイッチ
９５  回路組立体
【図１】
0004287921.tif 000002
【図２】
0004287921.tif 000003
【図３】
0004287921.tif 000004